(57)【要約】【課題】プラグが引き抜かれることを防止すると共に、コネクターとプラグとの挿抜性を良好に保持するプラグ固定具、およびプラグ固定具を備えた電子機器を提供する。【解決手段】プラグ固定具１は、コネクター（電源コネクター５）に挿入されたプラグ（電源プラグ６）の離脱を防止するプラグ固定具１であって、電源コネクター５に挿入された電源プラグ６を回動して挟持する支持部２と、支持部２を挟持位置で固定する固定部３と、を備えている。また、固定部３は、挟持位置および非挟持位置で支持部２を固定する。【選択図】図７
2017212158.tif 000002
【特許請求の範囲】
【請求項１】
コネクターに挿入されたプラグの離脱を防止するプラグ固定具であって、
前記コネクターに挿入された前記プラグを回動して挟持する支持部と、
前記支持部を挟持位置で固定する固定部と、
を備えることを特徴とするプラグ固定具。
【請求項２】
請求項１に記載のプラグ固定具であって、
前記固定部は、前記挟持位置および非挟持位置で前記支持部を固定することを特徴とするプラグ固定具。
【請求項３】
請求項１または請求項２に記載のプラグ固定具であって、
前記固定部は、前記支持部の回動軸方向への変形を規制することを特徴とするプラグ固定具。
【請求項４】
請求項２または請求項３に記載のプラグ固定具であって、
前記支持部は、前記支持部を把持する把持部を有し、
前記把持部は、前記非挟持位置において機器に設置される凹部に収容されることを特徴とするプラグ固定具。
【請求項５】
請求項１〜請求項４のいずれか一項に記載のプラグ固定具と、
外部機器および/または外部電源と接続するコネクターと、
を備えることを特徴とする電子機器。
【発明の詳細な説明】
【技術分野】
【０００１】
本発明は、プラグ固定具、およびプラグ固定具を備えた電子機器に関する。
【背景技術】
【０００２】
従来、電源プラグの抜け止め防止機構として、各種機器に設けられたコネクターに、電源プラグを支持する金具が設けられた構造が知られている。特許文献１では、筐体とインレット（コネクター）との間に挟み込んで筐体に固定させる台座部と、台座部に接続されて折れ曲がることにより電源コード（プラグ）を所定の状態に支える支持部と、支持部に接続されて電源コード又はプラグ部分を巻き付けるように包んで固定するバンド状の固定部と、を有する固定装置の構成が開示されている。
【先行技術文献】
【特許文献】
【０００３】
【特許文献１】特開２００６−２２８５３５号公報
【発明の概要】
【発明が解決しようとする課題】
【０００４】
しかし、特許文献１では、引き抜き防止の観点からは有効であるが、プラグの挿抜が頻繁に行われる移動設置を伴う機器には不向きであるという課題があった。
従って、プラグが引き抜かれることを防止すると共に、コネクターとプラグとの挿抜性を良好に保持するプラグ固定具、およびプラグ固定具を備えた電子機器が要望されていた。
【課題を解決するための手段】
【０００５】
本発明は、上述の課題の少なくとも一部を解決するためになされたものであり、以下の形態または適用例として実現することが可能である。
【０００６】
［適用例１］本適用例に係るプラグ固定具は、コネクターに挿入されたプラグの離脱を防止するプラグ固定具であって、コネクターに挿入されたプラグを回動して挟持する支持部と、支持部を挟持位置で固定する固定部と、を備えることを特徴とする。
【０００７】
本適用例のプラグ固定具によれば、回動する支持部により、コネクターに挿入されたプラグを挟持し、固定部により、支持部を挟持位置で固定する。これにより、プラグがコネクターから引き抜かれる動作に伴う支持部の動作を固定部で抑制することで、プラグの離脱を防止することができる。
【０００８】
［適用例２］上記適用例に記載のプラグ固定具において、固定部は、挟持位置および非挟持位置で支持部を固定することが好ましい。
【０００９】
本適用例のプラグ固定具によれば、固定部により、プラグがコネクターに挿入された場合には、支持部を挟持位置で固定することで、プラグが引き抜かれることを防止することができる。これにより、挿入した方向と平行にプラグが引き抜かれることを防止することができる。また、支持部を挟持位置で固定することで、固定部が支持部の回動を規制することができるため、プラグが斜め方向に引き抜かれることを防止することができる。
また、支持部を非挟持位置で固定することにより、プラグがコネクターに挿入されていない場合には、支持部が自由に動くことを防止することができる。これにより、コネクターにプラグを挿入する際に、支持部の回動による挿入妨害を防止することができ、確実にプラグを挿入することができる。
これらにより、コネクターとプラグとの挿抜性を良好に保持するプラグ固定具を実現することができる。
【００１０】
［適用例３］上記適用例に記載のプラグ固定具において、固定部は、支持部の回動軸方向への変形を規制することが好ましい。
【００１１】
本適用例のプラグ固定具によれば、固定部により、プラグがコネクターから引き抜かれる動作に伴う支持部の回動軸方向への変形を規制することにより、プラグの引き抜きに伴う支持部の変形でプラグが抜けやすくなる等の不具合を防止することができる。
【００１２】
［適用例４］上記適用例に記載のプラグ固定具において、支持部は、支持部を把持する把持部を有し、把持部は、非挟持位置において機器に設置される凹部に収容されることが好ましい。
【００１３】
本適用例のプラグ固定具によれば、プラグがコネクターに挿入された際には、把持部を把持して、非挟持位置から挟持位置に支持部を回動させてプラグを挟持させることができる。また、把持部が非挟持位置において機器に設置される凹部に収容されることにより、凹部を構成する例えば機器の筐体面から突出することを抑制することができる。これにより、プラグが挿入されていない状態において、他の物体と支持部との衝突による支持部等の変形や破損を防止することができる。また、コネクターにプラグを挿入する際に、支持部が突出することによる挿入妨害を防止することができる。
【００１４】
［適用例５］本適用例に係る電子機器は、上述したいずれかのプラグ固定具と、外部機器および/または外部電源と接続するコネクターと、を備えることを特徴とする。
【００１５】
本適用例の電子機器によれば、プラグ固定具を備えることにより、プラグが引き抜かれることを防止すると共に、コネクターとプラグとの挿抜性を良好に保持することが可能となる。そして、プラグの挿抜を頻繁に行う移動設置を伴う電子機器に対しては特に効果を奏することができる。
【図面の簡単な説明】
【００１６】
【図１】本実施形態に係るプラグ固定具の組立て図。
【図２】固定部を表面側から見た斜視図。
【図３】固定部を裏面側から見た斜視図。
【図４】プラグ固定具が電子機器に設置された状態の斜視図。
【図５】支持部が非挟持位置に位置している状態を示す側断面図。
【図６】電源プラグを電源コネクターに挿入した状態を示す斜視図。
【図７】挿入した電源プラグをプラグ固定具が挟持した状態を示す斜視図。
【図８】支持部が挟持位置に位置している状態を示す側断面図。
【図９】支持部が挟持位置に位置している状態を示す側断面図。
【発明を実施するための形態】
【００１７】
以下、本発明の実施形態について、図面を参照して説明を行う。
【００１８】
〔実施形態〕
本実施形態のプラグ固定具１は、電子機器に備えられており、電子機器に外部電源（例えば家庭内の電源コンセント）から電源を供給する電源ケーブルが有する電源プラグ６と、電子機器に設置されて電源プラグ６と接続する電源コネクター５との接続において、接続された電源プラグ６が電源コネクター５から離脱しないように電源プラグ６を固定するものである。なお、本実施形態のプラグ固定具１は、例えば、電子機器としてのプロジェクター７に設置されている。
【００１９】
なお、プロジェクター７は、光源装置（ランプ等）、光変調装置、投写レンズ等を備えて構成されている。そして、プロジェクター７は、光源装置から射出された光束を光変調装置で画像情報に基づいて変調して光学像を形成し、その光学像を投写レンズでスクリーン上に拡大投写する装置である。
【００２０】
図１は、本実施形態に係るプラグ固定具１の組立て図である。図２は、固定部３を表面側から見た斜視図である。図３は、固定部３を裏面側から見た斜視図である。図４は、プラグ固定具１が電子機器に設置された状態の斜視図である。図５は、支持部２が非挟持位置に位置している状態を示す側断面図である。なお、図５は、面部７０ｄをＹ-Ｚ平面で切断し、Ｘ(−)方向を見た図である。なお、座標系に関しては後述する。
【００２１】
図１以降の図では、ＸＹＺ直交座標系を付記する。そして、外装ケース７０の面部７０ａに沿った左右方向をＸ方向（右方向をＸ(＋)方向）とする。また、面部７０ａ（Ｘ方向）に垂直な方向をＹ方向（内部方向をＹ(＋)方向）とする。また、Ｘ方向、Ｙ方向に垂直な上下方向をＺ方向（上方向をＺ(＋)方向）とする。
【００２２】
プラグ固定具１は、図１、図４、図５に示すように、本実施形態では、プロジェクター７の外装を構成する外装ケース７０の側面で一段窪んだ面部７０ａに設置される。面部７０ａの開口部７１には、プロジェクター７本体に電源を供給する電源コネクター５が露出している。電源コネクター５は、外装ケース７０の内面側に設置される金属板にネジ固定されている。外観上、電源コネクター５は、電源プラグ６を挿入する挿入部５１の内部に、３つの電極５２が突出した状態となっている。
【００２３】
プラグ固定具１は、図１、図４、図５に示すように、支持部２と固定部３とを備えて構成されている。支持部２は、金属ワイヤーを用いて曲折して形成され、電源プラグ６を挟持する。固定部３は、例えば合成樹脂で構成され、支持部２を固定する。
【００２４】
支持部２は、容易に変形することがない剛性を有するステンレスやスチール製の金属ワイヤーを用いて形成されている。支持部２は、図１、図４、図５に示すように、機能的な構成として、概略、１つの押圧部２ａ、２つの把持部２ｂ、２つの脚部２ｃ、２つの回動軸部２ｄ、および１つの抜け止め部２ｅで構成されている。また、支持部２は、押圧部２ａを基準として略対称に形成されている。
【００２５】
押圧部２ａは後述する電源プラグ６を押圧して挟持する部分である。押圧部２ａは、概Ｃ字形状に屈曲して形成されている。把持部２ｂは、支持部２を回動させる際に把持する部分である。把持部２ｂは、押圧部２ａの両端部からそれぞれ外側に垂直に屈曲して形成されている。
【００２６】
脚部２ｃは、把持部２ｂ（押圧部２ａ）と、後述する回動軸部２ｄとを連結する部分である。脚部２ｃは、把持部２ｂおよび押圧部２ａにより形成される面に対して、略垂直に屈曲して形成されている。また、脚部２ｃは、本実施形態では、押圧部２ａおよび把持部２ｂにより形成される面と、２つの脚部２ｃとで形成される面とが、垂直に交差しない所定の角度を有した状態で形成されている。
【００２７】
回動軸部２ｄは、支持部２が回動する際の回動軸となる部分である。回動軸部２ｄは、押圧部２ａおよび把持部２ｂにより形成される面に対して平行、および、把持部２ｂの延びる方向に平行となるように、脚部２ｃの端部からそれぞれ外側に屈曲して形成されている。
【００２８】
抜け止め部２ｅは、支持部２を外装ケース７０に設置した際、外装ケース７０を壁として突き当てることにより、支持部２に外力が加わった場合に外装ケース７０から抜けないようにする部分である。抜け止め部２ｅは、上方向の回動軸部２ｄの端部から、押圧部２ａおよび把持部２ｂにより形成される面に対して垂直となるように屈曲して形成されている。なお、電源プラグ６の挟持は、支持部２の回動軸部２ｄと押圧部２ａとが、電源プラグ６を挟み込む状態となることにより挟持することになる。
【００２９】
固定部３は、図１〜図５に示すように、概直方体形状に構成されている。固定部３の中央には、固定部３を外装ケース７０の面部７０ａに固定するためのネジ固定部３１が形成されている。固定部３は、長手方向の右側端部から中央に向かって、スリット状に切り欠かれる案内部３２が形成されている。案内部３２は、支持部２の移動（回動）を案内する部分である。
【００３０】
案内部３２には、固定部３の内部の両側に壁部３２ａ，３２ｂが形成され、先端部の内部に壁部３２ｃが形成されている。また、案内部３２には、固定部３の外面３ａに沿って案内部３２の内側に庇状に突出する３つの突起部（突起部３３，３４，３５とする）が形成されている。
【００３１】
固定部３は、図３に示すように、支持部２の回動軸部２ｄを案内する回動軸案内部３８が、後述する外装ケース７０に形成される回動軸案内部７５に相対させて形成されている。
【００３２】
外装ケース７０の面部７０ａには、図１に示すように、開口部７１の下方向に、固定部３を固定するネジ孔部７２が形成されている。また、固定部３を案内する固定案内部７３，７４が凸状に形成されている。また、面部７０ａと、面部７０ａに繋がる側面部７０ｂ，７０ｃとの接続部には、支持部２の回動軸部２ｄを案内する回動軸案内部７５，７６が構成されている。面部７０ａと下側の側面部７０ｂとの接続部に構成される回動軸案内部７５には、回動軸部２ｄを挿通する挿通孔部７５ａが構成されている。面部７０ａと上側の側面部７０ｃとの接続部に構成される回動軸案内部７６にも、回動軸案内部７５と同様に、回動軸部２ｄを挿通する挿通孔部７６ａ（図８参照）が構成されている。
【００３３】
外装ケース７０には、面部７０ａの右側に、面部７０ａよりも更に奥行方向に一段窪んで面部７０ｄが形成されている。この面部７０ｄは、凹部として機能し、支持部２が電源プラグ６を挟持しない場合、後述する非挟持位置において、図４、図５に示すように、支持部２を把持する機能および挟持する機能を有する部分（把持部２ｂ、押圧部２ａ）を収納するために設けられている。また、面部７０ａの左側には、面部７０ａよりも更に奥行方向に一段窪んで面部７０ｅが形成されている。この面部７０ｅには、電源供給をＯＮ/ＯＦＦする電源スイッチＳ１が設置されている。
【００３４】
プラグ固定具１の外装ケース７０への組立てに関して、図１〜図５を参照して説明する。
最初に、支持部２を回動軸案内部７５，７６に設置する。詳細には、支持部２の抜け止め部２ｅを、回動軸案内部７６の挿通孔部７６ａ（図８参照）に挿通して、抜け止め部２ｅに続く上方向の回動軸部２ｄを挿通孔部７６ａに挿通する。併せて下方向の回動軸部２ｄを回動軸案内部７５の挿通孔部７５ａに挿通する。これにより、支持部２が回動軸案内部７５，７６に回動自在に設置される。
【００３５】
次に、固定部３を面部７０ａに設置する。詳細には、支持部２の把持部２ｂを把持して、押圧部２ａと把持部２ｂとが面部７０ｄに位置するように回動させる。その後、図４、図５に示すように、面部７０ａの固定案内部７３，７４に固定部３の裏面側の内周部を案内して、固定部３を面部７０ａに設置する。その際、支持部２の下方向の脚部２ｃが案内部３２に収まるように脚部２ｃを覆う状態で固定部３を面部７０ａに設置する。更に詳細には、壁部３２ａ，３２ｂの間に脚部２ｃが位置するように、壁部３２ａと壁部３２ｂとで脚部２ｃを挟むように設置する。その後、ネジＳＣ１を外面３ａ側からネジ固定部３１に挿通させ、面部７０ａのネジ孔部７２に螺合させる。これにより、固定部３が面部７０ａに設置される。
【００３６】
図４に示す図が、プラグ固定具１が外装ケース７０に設置された状態の図となる。なお、図４、図５に示す支持部２の位置が、後述するように、電源プラグ６を引き抜く際に位置させる非挟持位置となる。この状態では、脚部２ｃが案内部３２（壁部３２ａ，３２ｂ）に挟まれ、庇状の突起部３４，３５により回動方向への回動が規制される。これにより、支持部２は、非挟持位置で固定部３により固定される。
【００３７】
図６は、電源プラグ６を電源コネクター５に挿入した状態を示す斜視図である。図７は、挿入した電源プラグ６をプラグ固定具１（支持部２）が挟持した状態を示す斜視図である。なお、図６は、電源プラグ６を電源コネクター５から引き抜く際のプラグ固定具１（支持部２）の状態も示している。また、図６、図７では、電源プラグ６の、実際には長く延びるケーブル６２部分を略して図示している。
【００３８】
図８、図９は、支持部２が挟持位置に位置している状態を示す側断面図である。なお、図８は、支持部２の概ね２つの回動軸部２ｄを通るＹ-Ｚ平面で切断し、Ｘ(−)方向を見た図である。また、図９は、支持部２が非挟持位置に位置する状態（二点鎖線で図示）も併せて示している。また、図９は、固定部３の案内部３２の短手方向の中心をＸ-Ｙ平面で切断し、Ｚ(＋)方向を見た図である。
【００３９】
プラグ固定具１の動作に関して、図４〜図９を参照して説明する。
最初に、電源コネクター５に電源プラグ６が挿入されていない状態から、電源プラグ６を電源コネクター５に挿入した際の、プラグ固定具１の動作を説明する。図４に示す電源コネクター５の挿入部５１に電源プラグ６を挿入することにより、図６に示すように、電源プラグ６が電源コネクター５に挿入された状態となる。
【００４０】
電源プラグ６を電源コネクター５に挿入した場合、次に、支持部２を回動させて電源プラグ６を挟持させる。詳細には、把持部２ｂを把持して、非挟持位置にある支持部２を回動させる。把持部２ｂを把持して非挟持位置から引っ張ることにより、支持部２は、回動軸部２ｄを回動軸として回動する（図６、図７、図９参照）。
【００４１】
その際、下方向の脚部２ｃは、固定部３の案内部３２（壁部３２ａ，３２ｂ）に案内されると共に、最初に突起部３５に当接する。この状態で力を加えて回動させることで、脚部２ｃは突起部３５を乗り越える。乗り越えたと略同時に、次に脚部２ｃは突起部３４に当接する（図６参照）。同様に力を加えて回動させることにより脚部２ｃは突起部３４を乗り越える。更に、支持部２を回動させることにより、脚部２ｃは突起部３３に当接する。同様に力を加えて回動させることにより脚部２ｃは突起部３３を乗り越える（図７参照）。
【００４２】
脚部２ｃが突起部３３を乗り越えた状態となった場合に、図７、図８、図９に示すように、支持部２の押圧部２ａが電源プラグ６の肩部６１に位置する状態となる。この状態が、支持部２が電源プラグ６を挿入方向に押圧する状態となる。詳細には、支持部２は、回動軸部２ｄが回動軸案内部７５，７６の挿通孔に規制されることにより、回動軸部２ｄと押圧部２ａとにより、電源プラグ６の肩部６１を挿入方向に押圧する状態となる。
【００４３】
この結果、電源プラグ６は支持部２により挟持された状態となる。また、この位置が挟持位置となる。挟持位置では、脚部２ｃは、固定部３において、案内部３２の壁部３２ｃと突起部３３とに囲まれる領域内に位置している（図７、図９参照）。言い換えると、支持部２は、挟持位置で固定部３により固定される。
【００４４】
なお、脚部２ｃが突起部３３を乗り越えた際にクリック感を得ることで、使用者は、電源プラグ６を固定した感覚を得ることができる。
【００４５】
なお、プロジェクター７は、電源プラグ６を電源コネクター５に挿入した際には、支持部２を挟持位置まで回動させて、電源プラグ６を挟持した後に、プロジェクターの電源スイッチＳ１（図１参照）を入れる（ＯＮにする）という使用方法となる。
【００４６】
次に、電源コネクター５に電源プラグ６が挿入されている状態から、電源プラグ６を電源コネクター５から引き抜く際の、プラグ固定具１の動作を説明する。
【００４７】
電源プラグ６を電源コネクター５から引き抜く際には、最初に、支持部２を挟持位置から非挟持位置に回動させる。詳細には、図７、図８、図９に示すように、挟持位置の把持部２ｂを把持して、非挟持位置方向に回動させる。把持部２ｂを把持して非挟持位置方向に回動させることにより、脚部２ｃは最初に案内部３２の突起部３３に当接する。この状態で力を加えて回動させることで突起部３３を乗り越えさせる。これにより、押圧部２ａの電源プラグ６への押圧（挟持）が解除される。
【００４８】
更に、支持部２を非挟持位置方向へ回動させることにより、次に脚部２ｃは突起部３４に当接する（図７参照）。そして、力を加えて回動させることで突起部３４を乗り越えさせる。乗り越えたと略同時に、次に脚部２ｃは突起部３５に当接する。同様に力を加えて回動させることにより脚部２ｃは突起部３５を乗り越える。この状態まで回動させた場合、図５、図６に示すように、支持部２は非挟持位置となり、固定部３に固定される。なお、支持部２が非挟持位置に位置した場合、支持部２の押圧部２ａ、把持部２ｂが凹部としての面部７０ｄに収容された状態となる。
【００４９】
なお、脚部２ｃが突起部３５を乗り越えた際にクリック感を得ることで、使用者は、電源プラグ６の固定を解除（抜き位置に到達）した感覚を得ることができる。
【００５０】
上述したように、支持部２を非挟持位置まで回動させた後、電源プラグ６を電源コネクター５から引き抜くことになる（図４参照）。
【００５１】
支持部２が挟持位置にあり、電源プラグ６を挟持している状態において、電源プラグ６に挿入方向とは反対方向に外力が加わった場合に、例えば、固定部３が設置されていない場合には、２つの脚部２ｃが間隔を狭める方向に変形しやすくなる。そして、この変形等により、電源プラグ６が引き抜かれやすくなる。
【００５２】
しかし、本実施形態では、固定部３を設置しており、案内部３２の壁部３２ｃおよび壁部３２ｂに下方向の脚部２ｃが当接することにより、下方向の脚部２ｃの内側（間隔を狭める方向）への変形を規制している。また、上方向の脚部２ｃにおいては、支持部２の抜け止め部２ｅが外装ケース７０を壁として突き当たることにより、上方向の脚部２ｃの内側（間隔を狭める方向）への変形を規制している。
【００５３】
これにより、電源プラグ６に、挿入方向とは反対方向に外力が加わった場合、支持部２の変形（特に、脚部２ｃの変形）を規制することで、外力により、電源プラグ６が引き抜かれることを抑制している。
【００５４】
また、支持部２が挟持位置にあり、電源プラグ６を挟持している状態において、電源プラグ６に対して、回動軸方向となる斜め方向に引き抜く外力が加わった場合に、例えば、固定部３が設置されていない場合には、支持部２が挟持位置から非挟持位置の方向に回動されやすくなる。そして、支持部２が回動した場合、支持部２の挟持が外れることにより、電源プラグ６が引き抜かれやすくなる。
【００５５】
しかし、本実施形態では、固定部３を設置しており、支持部２が挟持位置から非挟持位置の方向に回動される力が加わった場合、案内部３２の突起部３３に脚部２ｃが当接することにより、脚部２ｃがこの突起部３３を乗り越える外力が働くまでは回動を規制している。言い換えると、固定部３は、支持部２の回動軸方向への変形（回動）を規制する。
【００５６】
これにより、電源プラグ６に、回動軸方向となる斜め方向で引き抜く外力が加わった場合、案内部３２の突起部３３に脚部２ｃが当接することにより、支持部２の回動を規制することで、引き抜かれることを抑制する。
【００５７】
また、更に、本実施形態において、電源プラグ６の肩部６１を挟持する押圧部２ａおよび把持部２ｂ（特に、押圧部２ａと把持部２ｂとの接続部分）は、支持部２の非挟持位置から挟持位置までの回動角度が、非挟持位置から回動軸部２ｄを通るＹ-Ｚ平面までの回動角度よりも大きくなるように設定している（図９参照）。これにより、電源プラグ６に、回動軸方向となる斜め方向で引き抜く外力が加わった場合、支持部２が非挟持位置の方向に回動することを更に規制している。
なお、本実施形態では、上述したように、支持部２の変形、特に、脚部２ｃの変形と、脚部２ｃの回動との双方を規制することで、電源プラグ６が挟持位置から引き抜かれることを抑制している。
【００５８】
上述した実施形態によれば、以下の効果が得られる。
本実施形態のプラグ固定具１によれば、回動する支持部２により、電源コネクター５に挿入された電源プラグ６を挟持し、固定部３により、支持部２を挟持位置で固定する。これにより、電源プラグ６が電源コネクター５から引き抜かれる動作に伴う支持部２の動作を固定部３で抑制することで、電源プラグ６の離脱を防止することができる。
【００５９】
本実施形態のプラグ固定具１によれば、固定部３により、電源プラグ６が電源コネクター５に挿入された場合には、支持部２を挟持位置で固定することで、電源プラグ６が引き抜かれることを防止することができる。これにより、挿入した方向と平行に電源プラグ６が引き抜かれることを防止することができる。また、支持部２を挟持位置で固定することで、固定部３が支持部２の回動を規制することができるため、電源プラグ６が斜め方向（支持部２が回動する方向）に引き抜かれることを防止することができる。
また、固定部３が支持部２を非挟持位置で固定することにより、電源プラグ６が電源コネクター５に挿入されていない場合には、支持部２が自由に動くことを防止することができる。これにより、電源コネクター５に電源プラグ６を挿入する際に、支持部２が自由に回動することにより挿入を妨害することを防止することができ、確実に電源プラグ６を挿入することができる。
これらにより、電源コネクター５と電源プラグ６との挿抜性を良好に保持するプラグ固定具１を実現することができる。
【００６０】
本実施形態のプラグ固定具１によれば、固定部３の案内部３２で支持部２の回動を案内する。また、案内部３２の壁部３２ｃと、案内部３２に庇状に設置される突起部３３とにより支持部２を挟持位置に固定する。また、案内部３２の壁部３２ａ，３２ｂと、案内部３２に庇状に設置される突起部３５とにより支持部２を非挟持位置に固定する。このような簡易な固定部３（案内部３２）の構成で、支持部２を挟持位置と非挟持位置とに固定することができる。
【００６１】
本実施形態のプラグ固定具１によれば、固定部３により、電源プラグ６が電源コネクター５から引き抜かれる動作に伴う支持部２の回動軸方向への変形を規制することにより、電源プラグ６の引き抜きに伴う支持部２の変形で電源プラグ６が抜けやすくなる等の不具合を防止することができる。詳細には、固定部３（案内部３２）の壁部３２ａ，３２ｂ，３２ｃが回動軸方向に「壁」として働くため、支持部２がこの壁に当たることにより、回動軸方向への変形（本実施形態では脚部２ｃの間隔が狭まる変形）が規制される。
【００６２】
本実施形態のプラグ固定具１によれば、電源プラグ６が電源コネクター５に挿入された際には、支持部２の把持部２ｂを把持して、非挟持位置から挟持位置に支持部２を回動させて電源プラグ６を挟持させることができる。また、把持部２ｂが非挟持位置においてプロジェクター７に設置される凹部としての面部７０ｄに収容されることにより、面部７０ｄを構成するプロジェクター７の外装ケース７０から突出することを抑制することができる。これにより、電源プラグ６が挿入されていない状態において、他の物体と支持部２との衝突による支持部２等の変形や破損を防止することができる。また、電源コネクター５に電源プラグ６を挿入する際に、支持部２が突出することによる挿入妨害を防止することができる。
【００６３】
本実施形態のプラグ固定具１によれば、外装ケース７０からの支持部２の突出を抑制することができるため、プロジェクター７のデザインの自由度を向上させることができる。
【００６４】
本実施形態のプロジェクター７によれば、プラグ固定具１を備えているため、外部電源と接続する電源コネクター５から電源プラグ６が引き抜かれることを防止することができる。また、電源コネクター５と電源プラグ６との挿抜性を良好に保持することが可能となる。なお、プロジェクター７等の電源プラグ６の挿抜を頻繁に行う移動設置を伴う電子機器に対しては特に効果を奏することができる。
【００６５】
なお、上述した実施形態に限定されず、その要旨を逸脱しない範囲において種々の変更や改良等を加えて実施することが可能である。変形例を以下に述べる。
【００６６】
上記実施形態のプラグ固定具１は、プロジェクター７に設置されている。しかし、プロジェクター７に限られず、外部機器および/または外部電源と接続する電子機器であればプラグ固定具１を適用でき、同様の効果を奏することができる。
【００６７】
上記実施形態のプラグ固定具１は、電源コネクター５と電源プラグ６との離脱を防止している。しかし、電源コネクター５や電源プラグ６に限られず、基本的にロック機構を有しないプラグやコネクター（例えば、ＲＣＡプラグ、ＵＳＢ（Universal Serial Bus）プラグ（コネクター）等）に対して適用することができる。
【００６８】
上記実施形態では、支持部２の電源プラグ６の引き抜きに対しての脚部２ｃの変形（脚部２ｃが間隔を狭める方向となる内側へ変形）を案内部３２の壁部３２ｂや壁部３２ｃで主に防止している。しかし、これに限られず、支持部２の構造によっては、脚部が間隔を拡げる方向となる外側へ変形することもある。その場合にも、本実施形態の固定部３により、案内部３２の例えば壁部３２ａに当接させることで変形を防止することができる。
【符号の説明】
【００６９】
１…プラグ固定具、２…支持部、２ａ…押圧部、２ｂ…把持部、２ｃ…脚部、２ｄ…回動軸部、２ｅ…抜け止め部、３…固定部、５…コネクターとしての電源コネクター、６…プラグとしての電源プラグ、７…電子機器としてのプロジェクター、３２…案内部、３２ａ，３２ｂ，３２ｃ…壁部、３３，３４，３５…突起部、７０…外装ケース、７０ｄ…凹部としての面部。
【図１】
2017212158.tif 000003
【図２】
2017212158.tif 000004
【図３】
2017212158.tif 000005
【図４】
2017212158.tif 000006
【図５】
2017212158.tif 000007
【図６】
2017212158.tif 000008
【図７】
2017212158.tif 000009
【図８】
2017212158.tif 000010
【図９】
2017212158.tif 000011